(57)【要約】【課題】ブルートゥースにおけるペアリングなどの所定の無線接続を多数行う場合に、当該無線接続を効率よく行う。【解決手段】ＰＣ１に接続された複数のＢＴ機器３と、複数の端末機器２とを、ブルートゥース規格に基づく通信方式に基づいてペアリングすることが可能な無線接続システムであって、ＰＣ１は、複数のＢＴ機器のうちの一のＢＴ機器をペアリングが可能な状態にする接続状態設定手段と、ペアリングが可能な状態にされた一のＢＴ機器について、ペアリングが行われたことを検知する無線接続検知手段と、を備え、接続状態設定手段は、無線接続検知手段によりペアリングが行われたことを検知すると、ペアリングが可能な状態にされていないＢＴ機器のうちの一のＢＴ機器をペアリングが可能な状態にするようにしている。【選択図】図１
2018056773.tif 000002
【特許請求の範囲】
【請求項１】
所定の情報処理装置に接続された複数の無線機器と、複数の端末機器とを、所定の方式に基づいて無線接続することが可能な無線接続システムであって、
前記情報処理装置は、
前記複数の無線機器のうちの一の無線機器を前記無線接続が可能な状態にする接続状態設定手段と、
前記無線接続が可能な状態にされた一の無線機器について、前記無線接続が行われたことを検知する無線接続検知手段と、を備え、
前記接続状態設定手段は、
前記無線接続検知手段により前記無線接続が行われたことを検知すると、前記無線接続が可能な状態にされていない無線機器のうちの一の無線機器を前記無線接続が可能な状態にする
ことを特徴とする無線接続システム。
【請求項２】
前記端末機器は、
当該端末機器と前記無線接続が可能な状態の無線機器を識別可能に表示する無線機器表示手段と、
前記無線機器表示手段により表示されている無線機器のうち、選択された一の無線機器と前記無線接続を行う無線接続手段と、を備え、
前記無線機器は、
前記無線接続が行われたときに、当該無線接続が行われたことを前記端末機器に通知可能な無線接続通知手段を備え、
前記端末機器は、
前記無線機器表示手段が、前記無線機器から前記無線接続が行われたことの通知を受けたときに、当該無線機器を表示しない
ことを特徴とする請求項１に記載の無線接続システム。
【請求項３】
前記複数の無線機器は、複数のグループに区分けされ、
前記無線機器表示手段は、前記無線機器の表示を、前記グループを識別可能に表示する
ことを特徴とする請求項２に記載の無線接続システム。
【請求項４】
前記所定の方式は、ブルートゥース規格に基づく通信方式であり、前記無線接続は、前記通信方式に基づくペアリングである
ことを特徴とする請求項１〜３のいずれか一項に記載の無線接続システム。
【請求項５】
前記接続状態設定手段は、
一の無線機器との接続を有効化することで当該一の無線機器を前記無線接続が可能な状態にし、
前記無線接続検知手段により前記一の無線機器について前記無線接続が行われたことを検知すると、有効化されていない接続のうちの一の接続を有効化することで当該接続がされている他の一の無線機器を前記無線接続が可能な状態にする
ことを特徴とする請求項１〜４のいずれか一項に記載の無線接続システム。
【請求項６】
所定の情報処理装置に接続された複数の無線機器と、複数の端末機器とを、所定の方式に基づいて無線接続することが可能な無線接続プログラムにおいて、
前記情報処理装置を、
前記複数の無線機器のうちの一の無線機器を前記無線接続が可能な状態にする接続状態設定手段、及び
前記無線接続が可能な状態にされた一の無線機器について、前記無線接続が行われたことを検知する無線接続検知手段、として機能させ、
前記接続状態設定手段は、
前記無線接続検知手段により前記無線接続が行われたことを検知すると、前記無線接続が可能な状態にされていない無線機器のうちの一の無線機器を前記無線接続が可能な状態にする
ことを特徴とする無線接続プログラム。
【発明の詳細な説明】
【技術分野】
【０００１】
本発明は、所定の無線接続に関し、特に、多数の無線接続を効率よく行うことが可能な無線接続システム及び無線接続プログラムに関する。
【背景技術】
【０００２】
企業等がスマートフォンなどの端末機器を新規に導入するに際し、予めアプリ追加やアクセス制限等の各種設定を行うことで、端末機器を所望の使用可能状態にするキッティングが知られている。
この種のキッティングは、従来は、設定者が、対象の端末機器そのものを操作して設定が行われていたが、近年、管理コンピュータを用いることで効率よくキッティングを行う技術が提案されている。
例えば、特許文献１には、管理コンピュータと複数の端末機器とをＬＡＮで接続し、管理コンピュータにより各端末機器の設定を統括的に行う自動キッティングのシステムが開示されている。
【０００３】
ところで、このようなキッティングのシステムは、管理コンピュータと端末機器とを通信可能に接続する必要があるところ、上記ＬＡＮのように有線による通信手段のほか、ブルートゥース（登録商標）と呼ばれる無線の通信手段を用いることも可能である。
ブルートゥースによれば、ペアリングと呼ばれる簡易な方法で機器同士を無線接続することができるため、自動キッティングの環境を容易に構築することができる。
また、ブルートゥースは、ほとんどのスマートフォンが対応可能であることから、特に、スマートフォンに対するキッティングシステムにおいて好適な通信手段と考えられる。
【先行技術文献】
【特許文献】
【０００４】
【特許文献１】特許第４８８６８０７号公報
【発明の概要】
【発明が解決しようとする課題】
【０００５】
ところが、ブルートゥースを用いて多数の端末機器に対してキッティングを行う場合、各端末機器におけるペアリングにおいて問題があった。
この問題について、図６に示すキッティングシステムの例を参照しながら説明する。
図６に示すように、このキッティングシステムは、各構成部がＡ〜Ｅの各グループに分かれており、設定者Ａ〜Ｅは、それぞれグループＡ〜Ｅに属する端末機器２に対しキッティングを行うように作業が割り当てられている。
例えば、設定者Ａは、キッティング対象として、１０台の端末機器２００〜２０９が割り当てられている。
【０００６】
キッティングに際し、設定者Ａは、まず、端末機器２００〜２０９と、ＢＴ機器３００〜３０９とをペアリングする。
ペアリングは、所定の操作画面（ＢＴ設定画面Ｐ）を対象の端末機器２に表示させて行う。
具体的には、ＢＴ設定画面Ｐには、その端末機器２の周囲にあるペアリング可能なＢＴ機器３の一覧（図６下部のＢＴ設定画面Ｐを参照）が表示されるため、この一覧の中から所望のＢＴ機器３を選択することで、端末機器２と選択されたＢＴ機器３との間でペアリングが自動的又は半自動的に行われる。
例えば、設定者Ａの場合、端末機器２００のＢＴ設定画面Ｐに表示されるＢＴ機器３の中から１台（例えば端末機器３００）を選択することで、端末機器２００とＢＴ機器３００との間でペアリングを行わせることができる。
同様の手順で、グループＡのすべての端末機器２００〜２０９とＢＴ機器３００〜３０９とを１ペアずつペアリングを行うことでグループＡにおけるペアリングは完了し、設定者Ａは、ＰＣ１ａを操作して端末機器２００〜２０９に対しキッティングの設定を一括で行うことができるようになる。
設定者Ｂ〜Ｅについても同様であり、それぞれグループＢ〜Ｅに属する端末機器２と対応するＢＴ機器３とのペアリングを行い、ＰＣ１ｂ〜１ｅからキッティングの設定を行う。
【０００７】
ところが、このような作業は、多くの場合、同じ部屋など共通の作業空間で行われることから、すべてのＢＴ機器３は、各端末機器２とペアリング可能な範囲内に配置されるため、端末機器２のＢＴ設定画面Ｐには、多数のＢＴ機器３が表示される。
このため、設定者は、多数のＢＴ機器３の中から自身のグループのＢＴ機器３を特定しなければならない。
特に、ＢＴ設定画面Ｐには、一般に、ＢＴ機器３の識別情報としてＭＡＣアドレスなどの機器の固有情報が表示されるため、設定者は、他のグループのＢＴ機器３と自身のグループのＢＴ機器３とを一見して区別することは困難である（図６参照）。
また、スマートフォンなどの端末機器２は、ディスプレイの表示領域が小さいため、複数ページに亘って表示されるＢＴ機器３の中から、スクロール操作等をして接続対象を探し出さなければならず煩わしい（図６参照）。
【０００８】
また、端末機器３には、ＢＴ設定画面ＰにおけるＢＴ機器３の表示数を制限するものがある（例えば、８台までなど）。
しかしながら、この場合、ＢＴ機器３の表示数を抑えることができても、設定者Ａがペアリングをしようとしたときに、ＢＴ設定画面Ｐに必ずしもグループＡのＢＴ機器３が表示されるとは限らず、他のグループのＢＴ機器３しか表示されないこともある。
そうすると、設定者Ａは、グループＡのＢＴ機器３が表示されるまでペアリングを行うことができないため、ペアリングは勿論、キッティングが滞ることになる。
【０００９】
本発明は、以上のような事情に鑑みなされたものであり、ブルートゥースにおけるペアリングなどの所定の無線接続を多数行う場合に、当該無線接続を効率よく行うことが可能な無線接続システム及び無線接続プログラムの提供を目的とする。
【課題を解決するための手段】
【００１０】
上記目的を達成するため、本発明の無線接続システムは、所定の情報処理装置に接続された複数の無線機器と、複数の端末機器とを、所定の方式に基づいて無線接続することが可能な無線接続システムであって、情報処理装置は、複数の無線機器のうちの一の無線機器を前記無線接続が可能な状態にする接続状態設定手段と、無線接続が可能な状態にされた一の無線機器について、前記無線接続が行われたことを検知する無線接続検知手段と、を備え、接続状態設定手段は、無線接続検知手段により前記無線接続が行われたことを検知すると、前記無線接続が可能な状態にされていない無線機器のうちの一の無線機器を前記無線接続が可能な状態にするようにしてある。
【００１１】
また、本発明の無線接続プログラムは、所定の情報処理装置に接続された複数の無線機器と、複数の端末機器とを、所定の方式に基づいて無線接続することが可能な無線接続プログラムにおいて、情報処理装置を、複数の無線機器のうちの一の無線機器を前記無線接続が可能な状態にする接続状態設定手段、及び前記無線接続が可能な状態にされた一の無線機器について、前記無線接続が行われたことを検知する無線接続検知手段、として機能させ、接続状態設定手段は、無線接続検知手段により前記無線接続が行われたことを検知すると、前記無線接続が可能な状態にされていない無線機器のうちの一の無線機器を前記無線接続が可能な状態にするようにしてある。
【発明の効果】
【００１２】
本発明によれば、所定の無線接続を多数行う場合に、当該無線接続を効率よく行うことができる。
【図面の簡単な説明】
【００１３】
【図１】本発明の実施形態に係る無線接続システムの構成図である。
【図２】本発明の実施形態に係る無線接続システムにおける端末機器の構成図である。
【図３】本発明の実施形態に係る無線接続システムにおけるブルートゥース機器のブロック図である。
【図４】本発明の実施形態に係る無線接続システムにおけるＰＣの構成図である。
【図５】本発明の実施形態に係る無線接続システムにおけるペアリングの手順を示すシーケンスである。
【図６】従来のペアリングにおける問題を説明するための図である。
【発明を実施するための形態】
【００１４】
以下、本発明の無線接続システムの一実施形態であるキッティングシステムを例に挙げつつ、図１〜図５を参照しながら説明する。
なお、キッティングとは、例えば、企業等がスマートフォンなどの端末機器を新規に導入するに際し、APN（Access  Point  Name）、Google（登録商標）アカウント、AppleIDの取得、新規アプリケーションのダウンロードや初期設定、不要アプリケーションの削除、アイコンの並び替え、メールアドレスの設定、Ｗｅｂサイトのアクセス制限等の各種項目を予め設定することで、端末機器を所望の使用可能状態にすることをいう。
ただし、上記項目に限らず、対象機器を所定の使用可能状態にするための様々な設定項目をキッティングに含めることができる。
【００１５】
図１に示すように、本実施形態に係るキッティングシステムは、キッティング対象であるスマートフォンからなる端末機器２と、各端末機器２に対しキッティングの設定を統括的に行う情報処理装置としてのパーソナルコンピュータ（以下、ＰＣ１という）と、ブルートゥース（以下、適宜、ＢＴという。）規格に対応した通信方式（所定の方式）に基づく無線機器であるブルートゥース機器（以下、ＢＴ機器３という）と、を備えている。このうち、ＰＣ１とＢＴ機器３とは、ハブ４を介して接続されている。
【００１６】
各構成部は、Ａ〜Ｅまでの各グループに区分けされており、設定者Ａ〜Ｅは、それぞれグループＡ〜Ｅに割り当てられた端末機器２について、キッティングの設定を並行して行うものとする。
具体的には、グループＡ〜Ｅには端末機器２が１０台ずつ割り当てられており、各端末機器２に対するキッティングの設定を、それぞれＰＣ１ａ〜１ｅで行うようにしている。
各ＰＣ１ａ〜１ｅには、それぞれハブ４が接続されており、各ハブ４には、端末機器２に対応する１０台のＢＴ機器３が接続されている。
また、各端末機器２と各ＢＴ機器３とは、ペアリング（本発明の無線接続）が可能な程度に近接しており、例えば、同じ部屋の中に配置されているものとする。
以下、各構成部について図面を参照して説明する。
【００１７】
［端末機器］
端末機器２は、前述したように、グループごとに１０台ずつ割り当てられている。具体的には、グループＡには端末機器２００〜２０９が、グループＢには端末機器２１０〜２１９が、グループＣには端末機器２２０〜２２９が、グループＤには端末機器２３０〜２３９が、グループＥには端末機器２４０〜２４９が、それぞれキッティング対象として割り当てられている（図１参照）。
端末機器２は、図２に示すように、タッチパネル２１、記憶部２２、ＵＳＢインターフェース部（ＵＳＢ  Ｉ／Ｆ部２３）、ブルートゥース通信部（以下、ＢＴ通信部２４という）、及び制御部２５を備えている。
【００１８】
タッチパネル２１は、液晶や有機ＥＬ等からなり、所定の表示画面に様々な情報を表示する表示手段であるとともに、表示画面に表示される各種項目を選択することで対応するアプリケーションの実行や各種設定を可能とする操作手段である。
例えば、タッチパネル２１には、図１の下部に示すようなブルートゥース設定画面（以下、ＢＴ設定画面Ｐという）を、ペアリングを行うときの操作画面として表示することができる。これにより、後記するペアリング操作をタッチ操作によって行うことができる。
記憶部２２は、プログラムや各種データを記憶する記憶手段である。
記憶部２２に記憶されるデータには、ＩＭＥＩ（International  Mobile  Equipment  Identity）、ＭＡＣアドレスなどの固有情報や、後記リンクキーなどがある。
【００１９】
ＵＳＢ  Ｉ／Ｆ部２３は、ＵＳＢケーブル等を介してＵＳＢ機器と接続することが可能なインターフェースであり、Lightning（登録商標）コネクタやDockコネクタを接続可能なバスを設けている。
ＢＴ通信部２４は、近距離通信規格であるブルートゥースに対応した通信方式に基づく無線通信手段であり、同規格に対応した無線機器との間で１対１の無線通信を可能とする。
本実施形態においては、ＢＴ機器３との間でペアリング（本発明の無線接続）を行うことで、当該端末機器２とＰＣ１とを、ＢＴ機器３を介して通信可能に接続することができる。
ＢＴ通信部２４を介して送受信される情報には、例えば、ペアリングの際に照合されるリンクキーがある。
ＢＴ通信部２４がＢＴ機器３から受信する情報には、例えば、起動状態のＢＴ機器３から常時発信される機器の固有情報、ＢＴ機器３がペアリング可能な状態を示す識別情報（未ペア情報）、ＢＴ機器３においてペアリングが行われたことを示す識別情報（ペア済情報）、ＰＣ１から送信されるキッティングの設定情報などがある。
【００２０】
制御部２５は、ＣＰＵを備えるコンピュータで構成され、記憶部２２に記憶されているプログラムを読み込むことで、所定の制御動作を行う。
具体的には、ＢＴ機器３とのペアリングを行うための種々の動作を行う。
ペアリングは、所定のＢＴ設定画面Ｐをタッチパネル２１に表示させ、当該ＢＴ設定画面Ｐをタッチ操作等することによって行うことができる。
ＢＴ設定画面Ｐには、ペアリング可能なＢＴ機器３が表示される（無線機器表示手段）。すなわち、後述するように、起動状態にあるＢＴ機器３は、当該ＢＴ機器３の識別情報（ＭＡＣアドレスなどの固有情報）を含む電波を常時周囲に発信しており、当該電波を受信可能な端末機器２においては、当該電波に含まれるＢＴ機器３の識別情報をペアリング可能なＢＴ機器３として表示することができる。
【００２１】
そして、ＢＴ設定画面Ｐに表示されているＢＴ機器３の中から一のＢＴ機器３が選択されると、制御部２５は、選択されたＢＴ機器３との間でペアリング動作を行う（無線接続手段）。
ペアリング動作として、制御部２５は、選択されたＢＴ機器３との間で相互にリンクキーを交換して照合を行い、照合が一致した場合にこのＢＴ機器３との双方向通信を許容する制御を行う。
なお、本実施形態の端末機器２は、ＢＴ設定画面Ｐの基本的な表示制御として、ＢＴ機器３の表示数に制限（本実施形態では、８台とする）を設定することもできる。
このため、上記制限が設定された場合には、仮に多数のＢＴ機器３がペアリング可能に起動されているとしても、その中から８台のＢＴ機器３がランダムに抽出されて表示される。
【００２２】
また、ＢＴ設定画面Ｐに表示されるＢＴ機器３の識別情報（ＭＡＣアドレスなどの固有情報）を、所望の識別情報に変えることもできる。
例えば、各ＢＴ機器３の固有情報と所望の識別情報との対応付け情報を予め端末機器２側で記憶しておき、ＢＴ機器３から受信した機器の固有情報をこの対応付け情報に基づいて変換することで、所望の識別情報で表示させることができる。
本実施形態においては、グループＡのＢＴ機器３００〜３０９については、Ａ０〜Ａ９に変換して表示し、グループＢのＢＴ機器３１０〜３１９については、Ｂ０〜Ｂ９に変換して表示し、グループＣのＢＴ機器３２０〜３２９については、Ｃ０〜Ｃ９に変換して表示し、グループＤのＢＴ機器３３０〜３３９については、Ｄ０〜Ｄ９に変換して表示し、グループＥのＢＴ機器３４０〜３４９については、Ｅ０〜Ｅ９に変換して表示するようにしている。
このようにすると、ＢＴ設定画面Ｐにおいて、ＢＴ機器３がどのグループに属するかを識別可能に表示されるため、各設定者は、ペアリングに際し、自身のグループに属するＢＴ機器３を容易に特定し選択することができる。
【００２３】
また、制御部２５は、上記無線機器表示手段の他の動作として、ＢＴ機器３からペアリングが行われたことの通知を受けたときに、このＢＴ機器３を表示しない制御動作を行う。
具体的には、ＢＴ機器３から機器の固有情報とともに未ペア情報を受信した場合には、ＢＴ設定画面Ｐにペアリング可能なＢＴ機器３としてその固有情報（識別情報）を表示し、機器の固有情報とともにペア済情報を受信した場合には、ＢＴ設定画面ＰにＢＴ機器３を表示しないようにする。
これにより、ＢＴ設定画面Ｐには、ペアリング可能でありながら、まだペアリングを行っていないＢＴ機器３だけを表示させることができる。
【００２４】
［ＢＴ機器］
ＢＴ機器３は、前述したように、端末機器２に対応してグループごとに１０台ずつ設けられている。具体的には、グループＡにはＢＴ機器３００〜３０９が、グループＢにはＢＴ機器３１０〜３１９が、グループＣにはＢＴ機器３２０〜３２９が、グループＤにはＢＴ機器３３０〜３３９が、グループＥにはＢＴ機器３４０〜３４９が、それぞれ設けられている（図１参照）。
ＢＴ機器３は、図３に示すように、ＢＴ通信部３１、記憶部３２、及び制御部３３を備えている。
【００２５】
記憶部３２は、プログラムや各種データを記憶する記憶手段である。
記憶部３２に記憶されるデータには、ＭＡＣアドレスなどの固有情報や、リンクキーなどがある。
ＢＴ通信部３１は、端末機器２のＢＴ通信部２４と同様、ブルートゥースに対応した通信方式に基づく無線通信手段であり、同規格に対応した無線端末との間で１対１の無線通信を可能とする。
ＢＴ通信部３１を介して送受信される情報には、例えば、ペアリングの際に照合されるリンクキーがある。
ＢＴ通信部３１から端末機器２に対して送信される情報には、例えば、機器の固有情報や、ペアリングが可能であることを示す識別情報（未ペア情報）、既にペアリングが行われたことを示す識別情報（ペア済情報）、ＰＣ１から送信されるキッティングの設定情報がある。
【００２６】
制御部３３は、ＣＰＵを備えるコンピュータで構成され、ＢＴ機器３の起動に応じて、記憶部３２に記憶されているプログラムを読み込み、これによってペアリングが可能な状態に移行する。
具体的には、ＢＴ機器３が起動されると、この起動に応じて自身を探索可能にするための識別情報（機器の固有情報）や未ペア情報を含む電波を周囲に向けて発信し、この識別情報を受信した端末機器２からペアリングの要求を受ける状態となる。
そして、端末機器２からペアリングの要求を受けた場合には、当該端末機器２との間で相互にリンクキーを交換・照合し、照合が一致した場合にこの端末機器２との接続を行って双方向通信を許容するペアリング動作を行う。
このペアリングにより、ＰＣ１と端末機器２とはＢＴ機器３を介して通信可能に接続され、例えば、ＰＣ１から送信されたキッティングの設定情報を、ＢＴ機器３を介して端末機器２に送信することが可能となる。
また、制御部３３は、無線接続通知手段として動作することで、ペアリングが行われたときに、当該ペアリングが行われたことを端末機器２に通知する。
具体的には、ＢＴ機器３について、ペアリングが行われると、機器の固有情報とともにペア済情報を電波に含めて周囲に発信する。
【００２７】
［ＰＣ］
ＰＣ１は、前述したように、グループごとに１台ずつ設けられている。具体的には、グループＡ〜Ｅに対し、それぞれＰＣ１ａ〜ＰＣ１ｅが１台ずつ設けられている（図１参照）。
ＰＣ１は、図４に示すように、操作部１１、表示部１２、ＵＳＢ  Ｉ／Ｆ部１３、記憶部１４、及び制御部１５を備えている。
【００２８】
操作部１１は、マウスやキーボードなどの操作手段である。
表示部１２は、液晶モニターなどの表示手段であり、例えば、キッティングの設定画面や設定履歴（ログ）を表示することができる。
ＵＳＢ  Ｉ／Ｆ部１３は、ＵＳＢ機器との接続インターフェースであり、ＵＳＢケーブルを接続可能なＵＳＢポートを設けている。
本実施形態のＰＣ１は、ＵＳＢ  Ｉ／Ｆ部１３に多数のＵＳＢポート（例えば、２４ポート）を有するハブ４が接続されており（図１参照）、これにより、ＵＳＢポートのポート数が拡張されている。
ハブ４のポート０〜９には、１０台のＢＴ機器３がそれぞれ接続されている。
例えば、グループＡのハブ４については、ポート０にＢＴ機器３００が、ポート１にＢＴ機器３０１が、ポート２にＢＴ機器３０２が、ポート３にＢＴ機器３０３が、ポート４にＢＴ機器３０４が、ポート５にＢＴ機器３０５が、ポート６にＢＴ機器３０６が、ポート７にＢＴ機器３０７が、ポート８にＢＴ機器３０８が、ポート９にＢＴ機器３０９がそれぞれ接続されている。
これにより、ＰＣ１は、ＢＴ機器３００〜３０９とペアリングされた端末機器２００〜２０９に対し、ハブ４を介してキッティングの設定情報を送信することができる。
【００２９】
記憶部１４は、ＰＣ１が備える各種機能を実行するためのプログラムやデータを記憶する。
記憶部１４に記憶されるプログラムには、ＢＴ機器３と端末機器２とを効率よくペアリングさせるための無線接続プログラムや、ペアリング後に各端末機器２に対し統括的にキッティングの設定を行うためのキッティングプログラムがある。
記憶部１４に記憶されるデータには、例えば、キッティングの対象項目に対応した設定情報（設定値）がある。
【００３０】
制御部１５は、ＣＰＵを備えるコンピュータで構成され、記憶部１４に記憶されている無線接続プログラムを読み込むことで、所定の制御動作を行う。
具体的には、制御部１５は、接続状態設定手段として動作することで、複数のＢＴ機器３のうちの一のＢＴ機器３をペアリング（無線接続）が可能な状態にする制御動作を行う。
より具体的には、ハブ４において各ＢＴ機器３が接続されている複数のポートのうちの一のポート（接続）を有効化することで、当該ポートに接続されている一のＢＴ機器３をペアリング可能な状態にする。
ここで、ポートの有効化とは、ＰＣ１側の制御によって、ポートに接続された機器を、ＰＣ１と通信可能に接続された状態にすることであり、これに伴い、ポートに接続された機器に対してハブ４から給電が行われる。
例えば、ポート０を有効化すると、ポート０に接続されているＢＴ機器３００が給電されて起動し、この起動に応じて、ペアリング可能な状態になる（前述の［ＢＴ機器］の説明を参照）。
ポートの有効化は、１つのポートのみを対象とし、他のポートは有効化しないことで、１つのＢＴ機器３のみペアリング可能な状態にすることができる。
なお、ＢＴ機器３をペアリング可能な状態にする方法としては、ＢＴ機器３が接続されているポートを有効化する以外にも、例えば、ＢＴ機器３をＯＦＦ（電源断）の状態からＯＮ（電源入）の状態に直接的に起動制御する方法や、ＯＮ状態のＢＴ機器３を通信不能状態から通信可能状態に制御する方法などを採用することもできる。
【００３１】
また、制御部１５は、無線接続検知手段として動作することで、ペアリング可能な状態にされた一のＢＴ機器３について、ペアリングが行われたことを検知する制御動作を行う。
具体的には、制御部１５は、ハブ４の各ポートを通じて、当該各ポートに接続されているＢＴ機器３のペアリングの状態を常時監視することができる。
このため、ＢＴ機器３についてペアリングが行われた場合には、当該ＢＴ機器３が接続されているポートを介して、ペアリングが行われたことを検知することができる。
【００３２】
また、制御部１５は、接続状態設定手段の他の動作として、上記無線接続検知手段によりペアリングが行われたことを検知すると、ペアリングが可能な状態にされていないＢＴ機器３のうちの一のＢＴ機器３をペアリングが可能な状態にする制御動作を行う。
具体的には、一のＢＴ機器３についてペアリングが行われたことを検知すると、有効化されていないポートのうちの一のポートを有効化することによって当該ポートに接続されている他の一のＢＴ機器３をペアリング可能な状態にする。
例えば、ポート０に接続されているＢＴ機器３についてペアリングが行われたことを検知すると、次に、ポート１を有効化し、ポート１に接続されているＢＴ機器３についてペアリングが行われたことを検知すると、次に、ポート２を有効化する、といった動作を順次行う。
【００３３】
このようにすると、ＢＴ設定画面Ｐにおいて、ペアリングが行われたＢＴ機器３は非表示にする制御動作も加わり（既述の無線機器表示手段の他の動作を参照）、ペアリングが可能でありながら、まだ、ペアリングが行われていないＢＴ機器３を、グループごとに１台ずつ表示させることができる。
このため、設定者からすると、自身のグループに属するペアリング可能なＢＴ機器３が必ず１台表示されるため、ペアリングを確実に１台ずつ進めることができる。
また、本実施形態のようにグループＡ〜Ｅからなるシステムにおいては、ＢＴ設定画面Ｐに、５台のＢＴ機器３しか表示されないため、設定者は、自身のグループに属するＢＴ機器３を容易に特定することができ、効率よくペアリングを進めることができる。
また、スマートフォンなど、表示領域が比較的小さい端末機器２においても、ＢＴ設定画面Ｐを複数ページに亘ることなくコンパクトに表示することができる。
【００３４】
以上のような構成からなる無線接続システムにおける各構成部の連携動作について、図５を参照しながら説明する。
具体的には、グループＡにおける各構成部の連携動作を例に挙げて説明する。
【００３５】
図５に示すように、ＰＣ１ａは、まず、ハブ４のポート０のみを有効化する（Ｓ１）。具体的には、ＰＣ１ａは、無線接続プログラムの実行に応じた初期動作として、ハブ４の最若番のポートのみを有効化する。
ポート０の有効化により、ポート０に接続されているＢＴ機器３００に対しハブ４から給電が行われ、これによってＢＴ機器３００は起動する（Ｓ２）。
これにより、ＢＴ機器３００は機器の固有情報及び未ペア情報を含む電波を周囲に発信することで、端末機器２にとってペアリング可能な状態になる。
【００３６】
ここで、端末機器２００においてＢＴ設定画面Ｐを表示する（Ｓ３）。
具体的には、設定者Ａが、所定操作を行うことでタッチパネル２１にＢＴ設定画面Ｐを表示させる。
これにより、ＢＴ設定画面Ｐには、ＢＴ機器３００が選択可能に表示される。
具体的には、ＢＴ機器３００から受信した機器の固有情報に基づいて変換された当該ＢＴ機器３００の識別情報Ａ０を表示することができる。
また、グループＢ〜Ｅにおいても、Ｓ１と同様の動作（１つのポートに対する有効化）が行われているとすると、グループＡ〜Ｅについて各１台のＢＴ機器３の識別情報が、ＢＴ設定画面Ｐに表示される。
例えば、グループＢのＢＴ機器３１０の識別情報Ｂ０，グループＣのＢＴ機器３２０の識別情報Ｃ０，グループＤのＢＴ機器３３０の識別情報Ｄ０、グループＥのＢＴ機器３４０の識別情報Ｅ０が、グループＡのＢＴ機器３００の識別情報Ａ０とともにＢＴ設定画面Ｐに表示される（図１参照）。
【００３７】
次に、ＢＴ機器３００と端末機器２００との間でペアリングを行う（Ｓ４）。
具体的には、設定者Ａは、ＢＴ設定画面Ｐに表示されるＢＴ機器３の識別情報Ａ０，Ｂ０，Ｃ０，Ｄ０，Ｅ０の中からＡ０を選択することによって、当該Ａ０を識別情報とするＢＴ機器３００と端末機器２００との間でペアリングが行われる。
ＢＴ機器３００は、ペアリングが行われると未ペア情報に代えてペア済情報と機器の固有情報を含む電波を周囲に発信する。
ＰＣ１ａは、ＢＴ機器３００について、ペアリングが行われたことを検知すると（Ｓ５）、次に、ハブ４のポート１について、Ｓ１〜Ｓ５と同様の動作を行う。
【００３８】
すなわち、ポート０の次の若番のポート１を有効化し（Ｓ６）、ＢＴ機器３０１に給電を行って起動させ（Ｓ７）、端末機器２０１においてＢＴ設定画面Ｐを表示させることで（Ｓ８）、当該ＢＴ設定画面ＰにＢＴ機器３０１を含むグループＡ〜Ｅについて各１台のＢＴ機器３を表示させる。なお、すでにペアリングが行われたＢＴ機器３００は表示しないようにしている。
そして、ＢＴ機器３０１と端末機器２０１とのペアリングを行い（Ｓ９）、ＰＣ１ａが、当該ペアリングが行われたことを検知すると（Ｓ１０）、以降は、ハブ４のポート２〜８について、順次、Ｓ５〜Ｓ１０と同様の動作を行う。
【００３９】
最後に、ポート９を有効化し（Ｓ１１）、ＢＴ機器３０９に給電を行って起動させ（Ｓ１２）、端末機器２０９においてＢＴ設定画面Ｐを表示させることで（Ｓ１３）、当該ＢＴ設定画面ＰにＢＴ機器３０９を含むグループＡ〜Ｅについて各１台のＢＴ機器３を表示させ、ＢＴ機器３０９と端末機器２０９とのペアリングを行い（Ｓ１４）、ＰＣ１ａにより当該ペアリングが行われたことを検知すると（Ｓ１５）、グループＡについてのペアリングが完了する。
【００４０】
グループＡについてペアリングが完了すると、ＰＣ１ａにより、端末機器２００〜２０９に対しキッティングの設定が行われる。
キッティングは、ＰＣ１ａにおいて予め記憶させた端末機器２ごとの設定情報を、ハブ４のポート０〜９から出力することで、各ポートに接続されたＢＴ機器３００〜３０９とペアリングされた端末機器２００〜２０９に対し無線送信され、端末機器２００〜２０９は、この設定情報に基づいてキッティングの設定を行う。
【００４１】
キッティングは、例えば、キー情報からなる設定情報を各端末機器２に向けて送信し、各端末機器２では、受信したキー情報に基づいてキッティングの設定を行う態様を例示することができる。
具体的には、ＰＣ１が、所定のキッティングプログラムを読み込むことで、キーボードにおける「Command」、「Alt」、「スペース」、「右矢印」などの各種キー（ボタン）に対応したキー情報からなるキッティングの設定情報を各端末機器２に向けて送信する。
ＰＣ１から送信されたキー情報は、ハブ４の各ポートを介し、予めＢＴ機器３と端末機器２とのペアリングにより構成された無線回線を通じて端末機器２に送信される。
端末機器２は、入力した各種キー情報に対応した動作を行うことが可能な機能を有しており、ＰＣ１から受信したキー情報に基づき、自らがキッティングの設定動作を行う。
ただし、このような態様に限らず、ＰＣ１がキッティングに係る何らかの設定情報を、ペアリングにより構成された無線回線を通じて端末機器２に送信し、端末機器２が、受信した設定情報に基づきキッティングの設定を行ういかなる態様もキッティングに含むことができる。
【００４２】
以上のように、本実施形態の無線接続システム及び無線接続プログラムによれば、所定の無線接続を効率よく多数行うことができる。
すなわち、共通の空間において多数のペアリングを並行に行う場合であっても、ペアリング可能な対象機器（ＢＴ機器３）を示す操作画面（ＢＴ設定画面Ｐ）には、グループごとに１台の対象機器を表示するようにしている。
このため、設定者は、自身のグループに属する対象機器を確実かつ容易に特定してペアリングを行うことができる。
また、これにより、操作画面における表示をコンパクトに収めることができるため、スマートフォンなど、表示領域が小さい端末機器においても、操作性よく対象機器を表示することができる。
操作画面において対象機器の表示数に制限がある場合にも、制限された表示数の範囲内において、確実に対象機器を表示することができる。
【００４３】
以上、本発明の無線接続システム等について好ましい実施形態を示して説明したが、本発明にかかる無線接続システム等は、前述の実施形態に限定されるものではなく、本発明の範囲で種々の変更実施が可能であることは言うまでもない。
例えば、上述の実施形態においては、端末機器としてスマートフォンを例示したが、これに限らず、タブレット端末、パーソナルコンピュータなど、ブルートゥースなどの所定の無線通信機能を有する機器であれば、本発明の端末機器として適用することができる。
また、このような無線通信機能を有しない機器であっても、当該無線通信機能を有するモジュール等を外付け可能な機器であれば本発明の端末機器として適用することができる。
また、ハブ４は、ＵＳＢハブに限らず、ＬＡＮケーブル等の通信ケーブルの接続が可能なあらゆる集線装置を適用することができる。
また、上記実施形態は、ハブ４を設けることで、ＰＣ１のＵＳＢ  Ｉ／Ｆ部１３のポート数を拡張した構成としたが、ＰＣ１に相当数のポートを有する場合は、ハブ４は不要である。
また、上記実施形態では、複数のＢＴ機器３（無線機器）をＰＣ１（情報処理装置）に外付けした構成としているが、ＰＣ１が、ＢＴ機器３の機能を複数回線分備えている場合は、ＢＴ機器３のような無線機器は不要である。
また、ポートの有効化は、上記のように若番順に限らず、ＢＴ機器３が接続されているポートに対し、１ポートずつ有効化するのであれば、どのような順番でもよい。
本発明の無線接続として、ブルートゥース規格に係るペアリングを例示したが、例えば、ＷｉＦｉダイレクト（登録商標）など、機器同士を１対１に紐付けて行う無線接続であれば、本発明に適用することができる。
また、本発明の無線接続システムとして、キッティングシステムを例示したが、他の情報処理システムに適用することができる。
例えば、ＰＣ１から音や映像などの情報を多数の端末機器に対して配信する情報配信システム等においても本発明を適用することができる。
【産業上の利用可能性】
【００４４】
本発明は、機器同士の無線接続を多数行う場合に好適に用いることができる。
【符号の説明】
【００４５】
１  ＰＣ（情報処理装置）
２  端末機器
３  ＢＴ機器（無線機器）
４  ハブ
Ｐ  ＢＴ設定画面
【図１】
2018056773.tif 000003
【図２】
2018056773.tif 000004
【図３】
2018056773.tif 000005
【図４】
2018056773.tif 000006
【図５】
2018056773.tif 000007
【図６】
2018056773.tif 000008